(57)【要約】【課題】外部に直に接続される入力端子の総数を抑えたまま、回路配線を片面だけに実装できる印刷回路基板を提供する。【解決手段】本発明による印刷回路基板では回路配線はベースの片面だけに形成されている。同じベースの片面には、複数の第１入力端子を含む第１入力パッドグループと、複数の第２入力端子を含む第２入力パッドグループとが、互いに離されて形成されている。連結部材は複数の第２入力端子の少なくとも一部を互いに連結している。連結部材によって互いに連結された第２入力端子の少なくとも１つは第１入力端子の少なくとも１つ、好ましくは接地端子又は電源端子に連結されている。それにより、第１連結部材によって互いに連結された第２入力端子は、それらのいずれかに連結された第１入力端子と同じ信号を外部から受ける。【選択図】図２
2008187174.tif 000002
【特許請求の範囲】
【請求項１】
ベース、
前記ベースの片面に形成された回路配線、及び、
前記回路配線が形成された前記ベースの片面に形成され、外部から信号を受ける入力パッド部、
を含む印刷回路基板であり、
前記入力パッド部は、
複数の第１入力端子を含む第１入力パッドグループ、
前記第１入力パッドグループから離されて形成された複数の第２入力端子を含む第２入力パッドグループ、及び、
前記複数の第２入力端子の少なくとも一部を互いに連結している第１連結部材、
を有し、
前記第１連結部材によって互いに連結された第２入力端子の少なくとも１つは前記複数の第１入力端子の少なくとも１つに連結されている、
印刷回路基板。
【請求項２】
前記第１連結部材は、前記複数の第２入力端子の上に配置された、補助印刷回路基板、導電性テープ、又は表面実装ガスケットのいずれかを含む、請求項１に記載の印刷回路基板。
【請求項３】
前記第１連結部材は前記複数の第２入力端子の少なくとも一部に、異方性導電フィルム又は半田によって連結されている、請求項２に記載の印刷回路基板。
【請求項４】
前記第１連結部材によって互いに連結された第２入力端子は、それらのいずれかに連結された第１入力端子と同じ信号を外部から受ける、請求項１に記載の印刷回路基板。
【請求項５】
前記入力パッド部は、前記回路配線が形成された前記ベースの片面に、複数の第３入力端子を含む第３入力パッドグループを更に有し、
前記第３入力パッドグループは前記第１入力パッドグループと前記第２入力パッドグループとのいずれからも離されて形成され、
前記複数の第３入力端子の少なくとも１つは前記複数の第１入力端子の少なくとも１つに連結されている、
請求項１に記載の印刷回路基板。
【請求項６】
前記複数の第３入力端子は前記複数の第２入力端子から絶縁されている、請求項５に記載の印刷回路基板。
【請求項７】
前記入力パッド部は、前記複数の第３入力端子の少なくとも一部を互いに連結している第２連結部材を更に含む、請求項５に記載の印刷回路基板。
【請求項８】
第１入力端子に連結された第３入力端子は、連結された第１入力端子と同じ信号を外部から受ける、請求項５に記載の印刷回路基板。
【請求項９】
前記第２入力パッドグループと前記第３入力パッドグループとは前記第１入力パッドグループから同じ距離を隔てた位置で互いに平行に配列されている、請求項５に記載の印刷回路基板。
【請求項１０】
第１入力端子に連結された第３入力端子は前記複数の第２入力端子の少なくとも１つにも連結され、
互いに連結された第１入力端子、第２入力端子、及び第３入力端子は外部から同じ信号を受ける、
請求項５に記載の印刷回路基板。
【請求項１１】
表示パネル、及び、前記表示パネルに連結され、外部から前記表示パネルに駆動信号を伝達する印刷回路基板、を含む表示パネルアセンブリであり、
前記印刷回路基板は、
ベース、
前記ベースの片面に形成された回路配線、及び、
前記回路配線が形成された前記ベースの片面に形成され、前記駆動信号を含む信号を外部から受ける入力パッド部、
を有し、
前記入力パッド部は、
複数の第１入力端子を含む第１入力パッドグループ、
前記第１入力パッドグループから離されて形成された複数の第２入力端子を含む第２入力パッドグループ、及び、
前記複数の第２入力端子の少なくとも一部を互いに連結している第１連結部材、
を有し、
前記第１連結部材によって互いに連結された第２入力端子の少なくとも１つは前記第１入力端子の少なくとも１つに連結されている、
表示パネルアセンブリ。
【請求項１２】
前記第１連結部材は、前記複数の第２入力端子の上に配置された、補助印刷回路基板、導電性テープ、及び表面実装ガスケットのいずれかである、請求項１１に記載の表示パネルアセンブリ。
【請求項１３】
前記第１連結部材は前記複数の第２入力端子の少なくとも一部に、異方性導電フィルム又は半田によって連結されている、請求項１２に記載の表示パネルアセンブリ。
【請求項１４】
前記第１連結部材によって互いに連結された第２入力端子は、それらのいずれかに連結された第１入力端子と同じ信号を外部から受ける、請求項１１に記載の表示パネルアセンブリ。
【請求項１５】
前記入力パッド部は、前記回路配線が形成された前記ベースの片面に、複数の第３入力端子を含む第３入力パッドグループを更に有し、
前記第３入力パッドグループは前記第１入力パッドグループと前記第２入力パッドグループとのいずれからも離されて形成され、
前記複数の第３入力端子の少なくとも１つは前記複数の第１入力端子の少なくとも１つに連結されている、
請求項１１に記載の表示パネルアセンブリ。
【請求項１６】
前記複数の第３入力端子は前記複数の第２入力端子から絶縁されている、請求項１５に記載の表示パネルアセンブリ。
【請求項１７】
前記入力パッド部は、前記複数の第３入力端子の少なくとも一部を互いに連結している第２連結部材を更に含む、請求項１５に記載の表示パネルアセンブリ。
【請求項１８】
第１入力端子に連結された第３入力端子は、連結された第１入力端子と同じ信号を外部から受ける、請求項１５に記載の表示パネルアセンブリ。
【請求項１９】
前記第２入力パッドグループと前記第３入力パッドグループとは前記第１入力パッドグループから同じ距離を隔てた位置で互いに平行に配列されている、請求項１５に記載の表示パネルアセンブリ。
【請求項２０】
第１入力端子に連結された第３入力端子は前記複数の第２入力端子の少なくとも１つにも連結され、
互いに連結された第１入力端子、第２入力端子、及び第３入力端子は外部から同じ信号を受ける、請求項１５に記載の表示パネルアセンブリ。
【発明の詳細な説明】
【技術分野】
【０００１】
本発明は印刷回路基板に関し、特に表示パネルアセンブリに組み込まれた印刷回路基板に関する。
【背景技術】
【０００２】
平板表示装置の中でも代表的な液晶表示装置は、液晶の電気光学効果を利用して画像を表示する。液晶表示装置は一般に、液晶の光学的性質を電気的に制御する液晶制御ユニット、及び液晶に光を当てる光供給ユニットを含む。液晶制御ユニットは一般に表示パネルアセンブリを含み、光供給ユニットは一般にバックライトアセンブリを含む。
【０００３】
表示パネルアセンブリは一般に、表示パネルを外部の駆動系統に接続する印刷回路基板を含む。その印刷回路基板は一般にフレキシブル印刷回路フィルム（ＦＰＣとも言う。）であり、その片面又は両面に回路配線が形成されている。
【発明の開示】
【発明が解決しようとする課題】
【０００４】
印刷回路基板の両面に回路配線を形成する場合、ビアホール等を利用して両面の回路配線の間を比較的自由に連結できる。それにより、回路配線の設計が空間的な制約を受けにくいので、外部から信号を受けるための入力端子の総数を十分に抑えることが容易にできる。しかしその反面、片面だけに回路配線を形成する場合より製造工程が複雑であるので、製造コストをさらに抑えることが困難である。
【０００５】
印刷回路基板の片面だけに回路配線を形成する場合、製造工程が比較的簡単であるので、製造コストの更なる節減は容易である。しかしその反面、両面に回路配線を形成する場合とは異なり、複数の回路配線を互いに交差させることができないので、回路配線の設計が空間的な制約を受けやすい。その結果、外部から信号を受けるための入力端子の総数を十分に抑えることが困難である。
【０００６】
本発明の目的は、外部に直に接続される入力端子の総数を抑えたまま、回路配線を片面だけに実装できる印刷回路基板の提供にある。
【課題を解決するための手段】
【０００７】
本発明による印刷回路基板は、ベース、回路配線、及び入力パッド部を含む。回路配線はベースの片面に形成されている。入力パッド部は、回路配線が形成されたベースの片面に形成され、外部から信号を受ける。入力パッド部は好ましくは、複数の第１入力端子を含む第１入力パッドグループ、複数の第２入力端子を含む第２入力パッドグループ、及び第１連結部材を有する。第２入力パッドグループは第１入力パッドグループから離されて形成されている。第１連結部材は複数の第２入力端子の少なくとも一部を互いに連結している。第１連結部材によって互いに連結された第２入力端子の少なくとも１つは、複数の第１入力端子の少なくとも１つに連結されている。好ましくは、第１連結部材によって互いに連結された第２入力端子は、それらのいずれかに連結された第１入力端子と同じ信号を外部から受ける。さらに好ましくは、互いに連結された第１入力端子と第２入力端子とは接地端子又は電源端子のいずれかである。
【０００８】
本発明による上記の印刷回路基板は好ましくは表示パネルアセンブリに含まれる。その印刷回路基板は表示パネルに連結され、外部から表示パネルに駆動信号を伝達する。その場合、その印刷回路基板の入力パッド部は外部からその駆動信号を受ける。
【発明の効果】
【０００９】
本発明による印刷回路基板では上記のとおり、第１連結部材によって複数の第２入力端子を同じ１つの第１入力端子に連結している。それらの第２入力端子は、連結された第１入力端子から離れた場所で比較的自由に配置可能である。こうして、ベースの片面上の様々な領域に配置された複数の回路配線を互いに交差させることなく、共通の第１入力端子に連結できる。従って、印刷回路基板の片面だけに回路配線を設計する場合でも、外部から信号を直に受ける第１入力端子の総数を十分に抑えることができる。その結果、印刷回路基板の製造コストをさらに節減できる。
【発明を実施するための最良の形態】
【００１０】
以下、添付の図面を参照しながら、本発明の好ましい実施例について詳細に説明する。
図１に、本発明の一実施例による表示パネルアセンブリの斜視図を示す。図１に示されているように、その表示パネルアセンブリ500は好ましくは、表示パネル100、駆動チップ200、及び印刷回路基板（ＰＣＢとも言う。）300を含む。
【００１１】
表示パネル100は好ましくは、第１基板110、第２基板120、及び液晶層130を含む。第１基板110と第２基板120とは好ましくはいずれも長方形状であり、液晶層130を間に挟んで貼り合わされている。さらに好ましくは、第１基板110は第２基板120より長辺が少し長く、一方の短辺を含む端部が第２基板120の外側にはみ出している。第１基板110と第２基板120とが重なっている部分が表示パネル100の表示領域を構成している。
【００１２】
第１基板110は好ましくは、表示パネル100の表示領域にマトリックス状に配置された複数の画素電極と薄膜トランジスタとの対、及び、そのマトリックスの間を行方向に延びている複数のゲートラインと列方向に延びている複数のデータラインを含む。各薄膜トランジスタは、いずれかのゲートラインを通して入力されるゲート信号に応じてオンオフし、いずれかのデータラインから同じ対の画素電極に駆動電圧を印加し、又はその印加を停止する。第２基板120は好ましくは、画素電極と液晶層130を隔てて向かい合うように配置された複数のカラーフィルタ、及び、それらのカラーフィルタの全体を覆っている共通電極を含む。
【００１３】
駆動チップ200は好ましくは、第２基板120の外側にはみ出している第１基板110の端部の上に実装されている。駆動チップ200は印刷回路基板300から駆動信号を受け、それに基づき、適切なタイミングで表示パネル100の各ゲートラインに対してはゲート信号を印加し、各データラインに対しては駆動電圧を印加する。駆動チップ200は好ましくはチップオンガラス（ＣＯＧ）実装方式により、表示パネル100の上に直に実装されている。
【００１４】
印刷回路基板300は好ましくは、駆動チップ200の実装された第１基板110の一辺に連結され、外部の駆動系統から駆動チップ200に駆動信号を伝達する。印刷回路基板300は好ましくはフレキシブル印刷回路基板である。
【００１５】
印刷回路基板300は好ましくは、表示パネル100の第１基板110に連結された端部300bとは反対側の端部に延長部300aを有する。図１に示されているように、延長部300aは印刷回路基板300の端部から外側に突出している。図２に延長部300aの平面図を示す。
【００１６】
図１及び図２に示されているように、印刷回路基板300は好ましくは、ベース310、回路配線315、及び入力パッド部320を含む。ベース310は好ましくはポリイミドから成るフレキシブルなフィルムであり、その一端300bの裏面310bが、駆動チップ200の実装された第１基板110の一辺に連結されている。回路配線315は好ましくは、ベース310の表面310aに形成された銅箔のパターンである。各回路配線315の一端は、第１基板110の一辺に連結されたベース310の一端300bで第１基板110の上の配線に接続され、さらにその配線を通して駆動チップ200に接続されている。回路配線315の一部ではそれぞれの他端が延長部300aにまで延びている。入力パッド部320は、回路配線315が形成されたベース310の片面310a、好ましくは延長部300aの上に形成され、延長部300aに端部を含む回路配線315に連結されている。入力パッド部320は外部から信号を受け、連結された各回路配線315にその信号を伝達する。尚、入力パッド部は、延長部300aとは異なるベース310の表面310aの部分に形成されていても良い。
【００１７】
図２に示されているように、入力パッド部320は好ましくは、第１入力パッドグループ322、第２入力パッドグループ325、及び連結部材380を含む。第１入力パッドグループ322は複数の第１入力端子323を有する。それらの第１入力端子323は好ましくは延長部300aの先端に一列に配置され、外部の駆動系統に直に接続される。それにより、その駆動系統から表示パネル310に対する駆動信号を直に受ける。第１入力端子323はさらに好ましくは接地端子323a又は電源端子を含む。第２入力パッドグループ325は複数の第２入力端子326を有する。それらの第２入力端子326は好ましくは第１入力パッドグループ322から一定の距離を隔てて一列に配置されている。好ましくは、第２入力端子326の１つは、延長部300aの表面310aに形成された配線321を通して第１入力端子323の１つ、さらに好ましくは接地端子323aに連結されている。連結部材380は好ましくは、全ての第２入力端子326を互いに連結している。それにより、全ての第２入力端子326が第１入力端子323、特に接地端子323aに連結されている。従って、全ての第２入力端子326が連結部材380と第１入力端子323aとを通し、外部から同じ信号、特に接地電圧を受ける。こうして、いずれの第２入力端子326も接地端子として機能する。尚、第２入力端子326が連結される第１入力端子が電源端子であっても良い。その場合、いずれの第２入力端子326も電源端子として機能する。
【００１８】
このように、印刷回路基板300では、外部から同じ信号を受けるべき入力端子が複数必要な場合、それらの入力端子の一部のみが第１入力パッドグループ322として延長部300aの先端に配置され、外部装置に直に接続される。一方、残りの入力端子は第１入力パッドグループ322から所定距離を隔てた場所に第２入力パッドグループ325として配置されれば良い。それにより、回路配線315をベース310の片面だけに形成する場合でも、回路配線315を互いに交差させることなく、外部から信号を直に受ける入力端子の数を必要な入力端子の総数より抑えることができる。さらに、第１入力パッドグループ322及び第２入力パッドグループ325をベース310の同じ側の表面310aに形成することは比較的容易である。従って、延長部300aの先端に第１入力パッドグループ322として配置可能な入力端子の数が限られていても、十分に多数の回路配線315をベース310の同じ側の表面310aのみに形成できる。その結果、印刷回路基板300の製造コストは更なる節減が容易である。
【００１９】
尚、図２においては、第１入力パッドグループ322と第２入力パッドグループ325との両方が延長部300aに配置されているが、その他に、第１入力パッドグループ322のみが延長部300aに配置され、第２入力パッドグループ325は印刷回路基板300の延長部300aとは異なる領域に配置されていても良い。
【００２０】
連結部材380の具体的な構造は様々なものがあり得る。以下、連結部材380の構造の好ましい具体例を詳細に説明する。
【００２１】
図３及び図４に、本発明の第１実施例による連結部材380aの構造を示す。図３及び図４に示されているように、ベース310の表面310aには回路配線315が複数配列されている。各回路配線315の上には第２入力端子326が１つずつ形成され、下地の回路配線315に連結されている。回路配線315とベース310の表面310aとはカバー層312で覆われている。カバー層312は、回路配線315の間、及び各回路配線315と連結部材380aとの間を絶縁している。各第２入力端子326の上には補助印刷回路基板380aが配置されている。補助印刷回路基板380aは連結部材として第２入力端子326を互いに連結している。補助印刷回路基板380aと各第２入力端子326との間は好ましくは異方性導電フィルム（ＡＣＦとも言う。）382で接着されている。異方性導電フィルム382は好ましくは、接着フィルムの中に導電体のボール383を複数含む。従って、補助印刷回路基板380aと各第２入力端子326との間は異方性導電フィルム382によって物理的にも電気的にも連結されている。その結果、全ての第２入力端子326は補助印刷回路基板380aを通して互いに連結されている。補助印刷回路基板380aは全ての第２入力端子326を比較的安定に連結できるので、それらの連結に対して比較的高い信頼性を確保できる。
【００２２】
図５に、本発明の第２実施例による連結部材の構造を示す。図５に示されている印刷回路基板は、補助印刷回路基板380aと各第２入力端子326との間の連結手段を除き、図３及び図４に示されている印刷回路基板300と実質的に同じである。従って、それら実質的に同じ部分については上記の説明を援用する。
【００２３】
図５に示されている構造では、補助印刷回路基板380aと各第２入力端子326との間が、異方性導電フィルム382に代え、半田385によって接着されている。すなわち、補助印刷回路基板380aと各第２入力端子326との間が半田385によって物理的にも電気的にも連結されている。その結果、全ての第２入力端子326は補助印刷回路基板380aを通して互いに連結されている。半田385による接着工程は比較的容易であるので、印刷回路基板300の製造工程がさらに単純化される。それにより、製造コストがさらに節減可能である。
【００２４】
図６に、本発明の第３実施例による連結部材の構造を示す。図６に示されている印刷回路基板は連結部材を除き、図３及び図４に示されている印刷回路基板300と実質的に同じである。従って、それら実質的に同じ部分については上記の説明を援用する。
【００２５】
図６に示されている構造では、各第２入力端子326の上に配置された導電性テープ380bが連結部材として各第２入力端子326に連結されている。導電性テープ380bは接着性と導電性との両方を有する。従って、導電性テープ380bが全ての第２入力端子326を覆うようにカバー層312の表面に接着されれば、導電性テープ380bの導電性によって全ての第２入力端子326が互いに電気的に連結される。導電性テープ380bの接着工程は比較的容易であるので、印刷回路基板300の製造工程がさらに単純化される。それにより、製造コストがさらに節減可能である。
【００２６】
図７に、本発明の第４実施例による連結部材の構造を示す。図７に示されている印刷回路基板は連結部材を除き、図３及び図４に示されている印刷回路基板と実質的に同じである。従って、それら実質的に同じ部分については上記の説明を援用する。
【００２７】
図７に示されている構造では、各第２入力端子326の上に配置された表面実装ガスケット380cが連結部材として各第２入力端子326に連結されている。表面実装ガスケット380cは好ましくは半田385によって各第２入力端子326に物理的にも電気的にも連結されている。表面実装ガスケット380cは好ましくは図７に示されているように、第２入力端子326に面した表面から順に、結合層380c1、導電性接着剤380c2、及びガスケット本体380c3を含む。結合層380c1は好ましくは半田385との結合力に優れている。導電性接着剤380c2は結合層380c1をガスケット本体380c3に安定に接着すると共に、半田385を通して第２入力端子326の間を電気的に連結している。ガスケット本体380c3は結合層380c1と導電性接着剤380c2とを安定に保持している。表面実装ガスケット380cにより、全ての第２入力端子326は互いに連結されている。表面実装ガスケット380cは全ての第２入力端子326を安定に連結できるので、それらの連結に対して比較的高い信頼性を確保できる。
【００２８】
図８に、本発明の他の実施例による印刷回路基板の延長部の平面図を示す。図８に示されている印刷回路基板は入力パッド部を除き、図２に示されている印刷回路基板300と実質的に同じである。従って、それら実質的に同じ部分については上記の説明を援用する。
【００２９】
図８に示されているような入力パッド部360は、図２に示されているもの320と比べ、第１入力パッドグループ362と第２入力パッドグループ365との他に第３入力パッドグループ368を含む点、及び、第１連結部材380に加えて第２連結部材390を含む点で異なる。
【００３０】
第３入力パッドグループ368は複数の第３入力端子369を有する。それらの第３入力端子369は好ましくは、第１入力パッドグループ362及び第２入力パッドグループ365のいずれからも離れた位置に、それらと平行に一列に配置されている。好ましくは、第３入力端子369の１つは、延長部300aの表面310aに形成された配線364を通して第１入力端子363の１つ363bに連結されている。さらに好ましくは、その第１入力端子363bは電源端子である。一方、各第３入力端子369は好ましくはいずれの第２入力端子366からも絶縁されている。
【００３１】
図８に示されているパターンとは異なり、いずれかの第３入力端子369が、延長部300aの表面310aに形成された配線を通していずれかの第２入力端子366に連結されていても良い。例えば、図２と同様に第２入力端子366の１つが、延長部300aの表面310aに形成された配線361を通して第１入力パッドグループ362の中の接地端子363aに連結されている場合、第１連結部材380が全ての第２入力端子366を互いに連結しているので、全ての第２入力端子366がその接地端子363aに連結されて接地端子として機能する。従って、第２入力端子366に連結された第３入力端子369も接地端子として機能する。このように、接地端子等、外部から同じ信号を受けるべき入力端子がさらに多数必要であっても、それらの入力端子を第２入力パッドグループ365及び第３入力パッドグループ365の両方に配置することにより、回路配線315の設計をさらに柔軟にできる。
【００３２】
入力パッド部360はさらに第２連結部材390を含んでいても良い。第２連結部材390は好ましくは全ての第３入力端子369を互いに連結している。第２連結部材390の構造は、図３〜図７に示されている連結部材380a、380b、380cのいずれの構造と同様であっても良い。
【００３３】
好ましくは、第３入力端子369の１つに連結された第１入力端子363bは電源端子であるので、全ての第３入力端子369が第２連結部材390を通して電源端子363bに連結され、外部から電源電圧を受ける。こうして、いずれの第３入力端子369も電源端子として機能する。尚、第３入力端子369が連結される第１入力端子363bが接地端子であっても良い。その場合、いずれの第３入力端子369も接地端子として機能する。
【００３４】
このように、接地端子の集団や電源端子の集団等、外部から同じ信号を受けるべき入力端子の集団ごとに入力パッドグループ365、368と連結部材380、390との対を延長部300aの先端から離れた場所に配置し、各グループに含まれる入力端子の一部を第１入力パッドグループ362の中の入力端子に連結する。第１入力パッドグループ362以外の入力パッドグループ365、368の配置は比較的自由であるので、回路配線315をベース310の片面だけに形成する場合でも、回路配線315を互いに交差させることなく、外部から信号を直に受ける第１入力端子363の総数を十分に抑えることができる。外部から同じ信号を受けるべき入力端子の集団が３つ以上であっても同様に、入力パッドグループと連結部材との対を追加すれば良い。
【００３５】
図８においては、第３入力パッドグループ368、第２入力パッドグループ365、及び第１入力パッドグループ362の順に、延長部300aの先端から離れた場所に配置されている。それとは異なり、第２入力パッドグループと第３入力パッドグループとが延長部300aの先端からほぼ同じ距離の場所に横並びで配置されていても良い。それにより、例えば接地端子の集団と電源端子の集団とを、第１入力パッドグループ362から実質的に同じ距離を隔てた場所にほぼ一列に配置できる。
【００３６】
図８においては、入力パッド部360の全体が印刷回路基板300の延長部300aに形成されている。その他に、第１入力パッドグループ362のみが延長部300aに配置され、第２入力パッドグループ365又は第３入力パッドグループ368の少なくともいずれかが、印刷回路基板300の他の領域に配置されていても良い。
【００３７】
本発明の上記の実施例による印刷回路基板は表示パネルアセンブリに実装され、表示パネルとその駆動系統との間の接続に利用される。しかし、本発明による印刷回路基板はその他の装置にも実装可能である。その実装により、外部に直に接続されるべき入力端子の総数が制限されている回路基板であっても、回路パターンを両面ではなく片面だけに集約できる。その結果、その回路基板の製造工程をさらに単純化し、その製造コストをさらに節減できる。
【００３８】
以上、本発明の好ましい実施例について詳細に説明した。しかし、本発明は上記の実施例には限定されない。本発明が属する技術分野において通常の知識を有する者であれば、本発明の思想と精神とから逸脱することなく、本発明の上記の実施例を修正し、または変更できるであろう。
【図面の簡単な説明】
【００３９】
【図１】本発明の一実施例による表示パネルアセンブリの斜視図
【図２】図１に示されている印刷回路基板の延長部の拡大平面図
【図３】本発明の第１実施例による印刷回路基板における、図２に示されている直線I−I’に沿った断面図
【図４】本発明の第１実施例による印刷回路基板における、図２に示されている直線II−II’に沿った断面図
【図５】本発明の第２実施例による印刷回路基板における、図２に示されている直線II−II’に沿った断面図
【図６】本発明の第３実施例による印刷回路基板における、図２に示されている直線I−I’に沿った断面図
【図７】本発明の第４実施例による印刷回路基板における、図２に示されている直線II−II’に沿った断面図
【図８】本発明の他の実施例による印刷回路基板の延長部の拡大平面図
【符号の説明】
【００４０】
100    表示パネル
200    駆動チップ
300    印刷回路基板
300a    延長部
310    ベース
315    回路配線
320、360    入力パッド部
322、362    第１入力パッドグループ
325、365    第２入力パッドグループ
368    第３入力パッドグループ
380、390    連結部材
380a    補助印刷回路基板
380b    導電性テープ
380c    表面実装ガスケット
500    表示パネルアセンブリ
【図１】
2008187174.tif 000003
【図２】
2008187174.tif 000004
【図３】
2008187174.tif 000005
【図４】
2008187174.tif 000006
【図５】
2008187174.tif 000007
【図６】
2008187174.tif 000008
【図７】
2008187174.tif 000009
【図８】
2008187174.tif 000010